(57)【要約】【課題】著しい負荷時には「バサバサ」という断続的な異音を引き起こし騒音が増大する。また、吹出風量が安定せず風量性能の低下を招くという問題があった。【解決手段】クロスフローファンの下流域に、側壁の内側に形成され側壁の内側面に対して段差を有して、前記段差の傾斜を概略４５°としたＣ面を特徴とした空気調和機の送風装置である。すなわち、Ｃ面の段差により側壁部分の静圧が向上して、負荷時においても安定した流れを形成することができる。また、通常運転時での風量の劣化がなく、安定した風量性能を確保することができる。【選択図】　図１
2004125280.tif 000002
【特許請求の範囲】
【請求項１】
少なくとも、クロスフローファンと、このクロスフローファンと送風回路を構成するように配置構成されたリアガイダ及びスタビライザと、前記リアガイダ及び前記スタビライザに略垂直に配置され、これらと共にディフューザ部を形成する側壁とを有する空気調和機の送風装置であって、前記側壁は前記クロスフローファンよりも送風下流域において左右の側壁において前記ディフューザ中段部よりも前記リアガイダ及び前記スタビライザに近い方の送風流れをより絞る側壁形状としたことを特徴とする空気調和機の送風装置。
【請求項２】
前記側壁は前記クロスフローファンよりも送風下流域において左右の側壁の少なくとも一方に送風上流から下流に向かう方向に対して側壁から突出する段部をで構成され、この段部はその送風上流側の側面が送風方向に凸状となる屈曲部を有して構成されていることを特徴とする請求項１記載の空気調和機の送風装置。
【請求項３】
屈曲部は段部と壁面を滑らかにつなぐ傾斜部を有して構成されていることを特徴とする請求項２記載空気調和機の送風装置。
【請求項４】
クロスフローファンから吹出した送風の流速が、少なくとも左右側壁付近で異なる場合には、左右で前記段部の形状を変更することを特徴とする請求項１〜３のいずれか一項に記載の空気調和機の送風装置。
【発明の詳細な説明】
【０００１】
【発明の属する技術分野】
本発明は、クロスフローファンを具備した空気調和機の送風装置に関するものである。
【０００２】
【従来の技術】
従来の空気調和機の送付装置（例えば特許文献１）の構成について図１及び図７を用いて説明する。図７（ａ）は、図１のＡ１―Ａ２線における断面模式図である。また図７（ｂ）は、図７（ａ）における吹き出し部２付近のＣ方向からの要部矢視図である。そして図７（ｃ）は、図７（ａ）のＹ−Ｙ線における吹き出し口側壁部の断面模式図である。
【０００３】
空気調和機の室内ユニットにおいて送風回路は吸込み口１、熱交換器１０、クロスフローファン４、ディフューザ７、吹出し口２の順に構成されている。吹出しのディフューザ７は熱交換器で発生する凝縮水を受ける水受け部２０と一体に構成されたスタビライザ、リヤガイダ７、左右の両側壁３とで構成されている。
【０００４】
側壁部でのバサバサという送風の特有音、いわゆるバサツキ音の発生を抑制するため、ディフューザ部において側壁に送風上流側から下流に向けて段差を構成して吹出し口にて送風出口面積を左右方向（吹出し開口部長手方向）に絞る発明が従来より開示されている。
【０００５】
同特許文献の発明では、クロスフローファン４の下流域の側壁３には、段状の段部１３が形成されており、図７（ｂ）に示されるようにここでは側壁３に対して幅１４ａ、１４ｂである２段の段部１５ａ、１５ｂが形成されている。まず１３ｅの面を有する壁面３に対して、側壁３に平行な面１３ｄを有する段部１５ｂが形成され、更に重なるように側壁３に平行な面１３ｃを有する段部１５ａが形成されている。また、側壁３と段部１５ｂ、段部１５ｂと段部１５ａとはそれぞれ側壁３に対して略垂直方向に起立して形成された端面１３ａ、１３ｂにより接続されている。
【０００６】
このように送風上流側から徐々に送風の断面を左右に絞り込むことにより、空気流の回転軸方向の変動成分が軽減されるので、吹出流の流れを円滑にすることができ、吹出し口での静圧を高めることで、上記バサツキ音の低減を図っている。
【０００７】
【特許文献１】
特開２０００−２９１９７３号公報
【０００８】
【発明が解決しようとする課題】
しかしながら上記従来のような高静圧化技術では、空気調和機の吸込み口１と熱交換器１０との間に設けられた埃などを捕獲するプレフィルタ１６への塵埃吸着量がわずかであり送風吸込み時の負荷が比較的低い条件ではばさつき音防止に十分な効果を奏するものの、著しい負荷時にはバサツキ音の発生を十分に抑制するには至らず、更には、端面形成などにより風量特性の低下が余儀ない状況であった。
【０００９】
【課題を解決するための手段】
前記目的を達成するために本発明の空気調和機の送風装置は、クロスフローファンを有して構成される送風回路の側壁部において、クロスフローファンよりも送風下流域において左右の側壁の少なくとも一方に送風上流から下流に向かう方向に対して側壁から突出する段部を有し、この段部はその送風上流側の側面が送風方向に凸状となる屈曲部を有しかつこの屈曲部は段部と壁面を滑らかにつなぐ傾斜部を有して構成されていることを特徴とするものである。
【００１０】
そしてこの構成により、側壁面に沿う送風で風速分布が大きいディフューザ中段部分において側壁に沿う流れの静圧を徐々に高めるようにすることで、送風の高負荷時にもバサツキ音がなく、しかも従来の技術のような構成に比べて、送風特性（同一の入力での風量アップなど）も向上させることができる。
【００１１】
【発明の実施の形態】
以下、本発明の一実施形態について図面を参照しながら説明する。なお、既に説明した図１及び図７と共通の構成要素などは同一の図番を付して、その詳細な説明は省略する。
【００１２】
（実施の形態１）
まず、実施の形態１について図１〜図６を用いて説明する。
【００１３】
図１（ａ）に示す空気調和機の室内ユニットにおいてＸ−Ｘ方向の構成模式図を図１（ｂ）に示している。クロスフローファン４の送風下流のディフューザ７はスタビライザ５、リヤガイダ６、側壁３で構成されており吹出し口２には左右の風向制御をするための左右羽根２ａが配置されている。
【００１４】
このディフューザにおいて図１（ｂ）の左方に示しているように、スタビライザ５、リヤガイダ６間の風速分布ｖはその間隔中段部で最大となっておりスタビライザ５、リヤガイダ６に沿う送風ほど壁面への粘性抵抗などの影響で風速が小さくなっている。
【００１５】
本実施の形態では図１（ｂ）においてディフューザ部左方に示しているように、側壁に対して側壁面に垂直な方向に段部２２を有している。段部２２はその送風上流側の端面を風速分布の高い中段部分で送風方向に凸状となる屈曲部２２ｃで構成しており、かつこの屈曲部２２ｃは段部の側壁と略平行な面２２ａと側壁３とを滑らかにつなぐ傾斜面２２ｂを有して形成されている。図２（ａ）においてハッチングの部分が傾斜面２２ｂに相当している。
【００１６】
このような段部を設けることで、側壁に沿う沿う風流れの剥離を防止し、送風の失速を防止して、バサツキ音を低減する。特に風速分布の高い送風の主流部の送風の絞り込みに対して、スタビライザ５、リヤガイダ６に沿う方の送風をより絞り込むことで、主流の抵抗を極力低減し、かつよりスムースに側壁に沿う流れを形成して送風特性を向上させることができる。
【００１７】
傾斜面２２ｂは側壁面に対して約１５度〜７５度の範囲で設定すればよく、好適なのは４５度前後の角度であり、送風特性の向上を期待できるとともに、バサツキ音の低減を図ることができる。
【００１８】
なお、上記実施の形態では、屈曲部２２ｃを略Ｖ字上のＣ面形状で滑らかに構成したが、図３（ａ）に示すように送風方向に凸形状となる曲線的形状で構成してもよいし、図３（ｂ）に示すように屈曲部２２ｃをリヤガイダ６に沿って送風上流側のクロスフローファン４に対抗する部位まで延長すれば、より高い効果が得られる。
【００１９】
更には図６に示すように、段部２２は側壁３に対して１段目の２２ｘで送風を絞り込むとともに更により絞り込んだ２段目の２２ｙの段部を有して構成されればより木目細かに送風の主流部に抵抗をつけず、バサツキ音を低減することができる。なお、この場合１段目の屈曲部と２段目の屈曲部は屈曲の角度や形状が異なっていてもよい。
【００２０】
要するに側壁に沿う送風流れについてスタビライザ５、リヤガイダ６に近い側の流れを中段部の主流的な流れに比べてより静圧を高くすべく絞るよう側壁形状を決定し、相対的に静圧の高い主流流れが極力抵抗を受けずにかつバサツキ音を発生をしないように絞って吹出すように構成することが重要である。
【００２１】
屈曲部は本実施の形態では面と面とをＣ面カットで結んで面の連続形状で構成した。これは製造状の金型構成のがとりやすい構成になっているものの、更には屈曲部と平面部を滑らかに流線的に結び、より抵抗を低減するように構成すれば更なる送風性能の向上や低騒音化が期待できるものである。
【００２２】
また、図４に示すように段部の面２２ａとリアガイダ６との角部に送風方向に徐々に大きくなる三角すい状の斜面部２２ｄを形成するようにすればより一層面２２ａとリアガイダ６との角部に沿って流れる気流の高静圧化、バサツキ音低減、送風特性向上に寄与することができる。
【００２３】
また、屈曲部の底面と成す角度は１５度〜７５度の範囲で構成すればよい。傾斜の角度は送風機の特性により異なり、圧力型（静圧上昇型）は傾斜が小さく１５°〜４５°、風量型（風量上昇型）は傾斜が大きく４５°〜７５°とするのが好適であり、風量が広い幅で変化し得る空気調和機などでは略４５度にするのが好適である。
【００２４】
（実施の形態２）
次に実施の形態２について説明する。空気調和機によっては回転軸方向に略左右対象に構成されているクロスフローファンを用いていても、ケーシング形状などその送風部の周囲構成によっては左右両端部で送風特性が少なからず異なる場合がある。その場合、送風の静圧が低い側の送風特性をあげるために、その静圧が低い側の側壁のみに上記段部を設けて、送風特性の向上を図る。
【００２５】
または、左右両方の側壁に段部を形成しても、高静圧側は図２のような形状とし、一方静圧の低い側の側壁は図３（ｂ）のような形状にして、バランスをとることも有効である。
【００２６】
【発明の効果】
以上の説明で明確なように、本願発明の空気調和機の送風装置は、クロスフローファンを有して構成される送風回路の側壁部において、クロスフローファンよりも送風下流域において左右の側壁の少なくとも一方に送風上流から下流に向かう方向に対して側壁から突出する段部を有し、この段部はその送風上流側の側面が送風方向に凸状となる屈曲部を有しかつこの屈曲部は段部と壁面を滑らかにつなぐ傾斜部を有して構成することにより、側壁面に沿う送風で風速分布が大きいディフューザ中段部分において側壁に沿う流れの静圧を徐々に高めるようにすることで、送風の高負荷時にもバサツキ音がなく、しかも従来の技術のような構成に比べて、送風特性（同一の入力での風量アップなど）も向上させることができるものである。
【図面の簡単な説明】
【図１】（ａ）本発明の空気調和機の送風装置の外観斜視図
（ｂ）本発明の実施形態１に係る空気調和機の要部構成模式図
【図２】（ａ）本発明の実施形態１に係る段部構成に係る側面方向からみた構成模式図
（ｂ）図２（ａ）におけるＩ１−Ｉ２断面構成模式図
【図３】（ａ）本発明の実施形態１に係る他の段部構成に係る側面方向からみた構成模式図
（ｂ）本発明の実施形態１に係る他の段部構成に係る側面方向からみた構成模式図
【図４】（ａ）本発明の実施形態１に係る他の段部構成に係る側面方向からみた構成模式図
（ｂ）図４（ａ）におけるＩ１−Ｉ２断面構成模式図
（ｃ）図４（ａ）におけるＪ１−Ｊ２断面構成模式図
【図５】（ａ）図３（ｂ）におけるＩ１−Ｉ２断面構成模式図
（ｂ）図３（ｂ）におけるＪ１−Ｊ２断面構成模式図
（ｃ）図３（ｂ）におけるＫ１−Ｋ２断面構成模式図
【図６】（ａ）本発明の実施形態１に係る他の段部構成に係る側面方向からみた構成模式図
（ｂ）図６（ａ）におけるＩ１−Ｉ２断面構成模式図
（ｃ）図６（ａ）における段部の要部斜視構成模式図
【図７】（ａ）図１のＡ１−Ａ２線における断面図
（ｂ）従来例を示す図７（ａ）の吹き出し部２付近のＣ方向からの要部矢視図
（ｃ）従来例を示す図７（ａ）のＹ−Ｙ断面図
【符号の説明】
２　吹出部
３　側壁
４　クロスフローファン
５　スタビライザ
６　リアガイダ（リアケーシング）
７　ディフューザ
８　屈曲部
【図１】
2004125280.tif 000003
【図２】
2004125280.tif 000004
【図３】
2004125280.tif 000005
【図４】
2004125280.tif 000006
【図５】
2004125280.tif 000007
【図６】
2004125280.tif 000008
【図７】
2004125280.tif 000009